(57)【要約】      （修正有）【課題】携帯が可能であり、持ち運びやすい携帯式多機能クッションを提供する。【解決手段】携帯式多機能クッションは、中間に２本の折り線１１が間隔をおいて平行するように設けられるクッション本体１０と、クッション本体に取り付けられ、クッション本体の折畳み状態を維持するための係合部材２１からなる固定ユニットと、クッション本体に取り付けられ、持ち運ぶ時に用いる取っ手３１からなる持ち手ユニットと、クッション本体に取り付けられ、ものを収納するための収納ユニット４０と、を有する。【選択図】図２
0003195179.tif 000002
【実用新案登録請求の範囲】
【請求項１】
中間に２本の折り線が間隔をおいて平行するように設けられるクッション本体と、
前記クッション本体に取り付けられ、該クッション本体の折畳み状態を維持するための固定ユニットと、
前記クッション本体に取り付けられ、持ち運ぶ時に用いる持ち手ユニットと、
前記クッション本体に取り付けられ、ものを収納するための収納ユニットと、を有することを特徴とする、
携帯式多機能クッション。
【請求項２】
前記クッション本体における２本の折り線の外端近傍にそれぞれ連接線が設けられ、該連結線は、２本の折り線と垂直するように連結することを特徴とする、請求項１に記載の携帯式多機能クッション。
【請求項３】
前記固定ユニットは、少なくとも１対の係合部材を有し、該係合部材は、第一ベルト及び第二ベルトを備え、該第一ベルトの一端はクッション本体の一側に縫合され、他端にオスボタンが設けられ、一方、該第二ベルトの一端はクッション本体の他側に縫合され、他端にメスボタンが設けられ、該オスボタンが着脱可能にメスボタンに係合できることを特徴とする請求項１または２に記載の携帯式多機能クッション。
【請求項４】
前記収納ユニットは、クッション本体に縫合された少なくとも１つの網袋であることを特徴とする請求項３に記載の携帯式多機能クッション。
【請求項５】
前記持ち手ユニットは、少なくとも１つの取っ手であることを特徴とする請求項４に記載の携帯式多機能クッション。
【請求項６】
前記持ち手ユニットは、少なくとも１本の長細状のベルトであることを特徴とする請求項４に記載の携帯式多機能クッション。
【請求項７】
前記収納ユニットは、クッション本体に縫合された少なくとも１つの網袋であることを特徴とする請求項１または２に記載の携帯式多機能クッション。
【請求項８】
前記持ち手ユニットは、少なくとも１つの取っ手であることを特徴とする請求項１または２に記載の携帯式多機能クッション。
【請求項９】
前記持ち手ユニットは、少なくとも１本の長細状のベルトであることを特徴とする請求項１または２に記載の携帯式多機能クッション。
【考案の詳細な説明】
【技術分野】
【０００１】
本考案は、特に持ち運びやすく、複数の機能を有するクッションに関するものである。
【背景技術】
【０００２】
従来の椅子は、構造強度を高めるために、硬い木材や、プラスチック、金属などから製造され、椅子の台座にはスポンジや布などの軟質パッドが設けられ、座り心地を向上させている。
【０００３】
しかしながら、従来の椅子は、軟質パッドによりクッション性を提供できるが、それらのクッションの殆どは、椅子のプレートに縫合または粘着固定されていることから、椅子を掃除する時に、クッションを椅子から取り外すことができず、新たなクッションに変換することもできない。また、椅子上のクッションが硬すぎたり、または柔らかすぎる場合にも、使用者に適したクッションに変換することもできないので、長時間座っていると、姿勢が乱れたり、身体に悪影響を及ぼす虞があった。
【０００４】
前記の問題に鑑み、その後、クッションが着脱可能な椅子が開発され、この構成によれば、使用者が自分の好みによってクッションを自由に選んで椅子のプレートに装着することができるので、使用上の利便性が高まった。
【考案の概要】
【考案が解決しようとする課題】
【０００５】
しかしながら、前記既存の椅子は、着脱可能なクッションを有するが、そのクッションの体積が大き過ぎて収納し難いと共に、取り外して折り畳むこともできず、持ち運びもし難いことから、使用上の利便性が不足している。例えば、登山や、ピクニック、野外運動などの時、地面が汚くて不平坦の場合に、既存のクッションを持ち運んで使用するのは難しいことから、改善する必要があった。
【課題を解決するための手段】
【０００６】
本考案に係る携帯式多機能クッションは、中間に２本の折り線が間隔をおいて平行するように設けられるクッション本体と、前記クッション本体に取り付けられ、該クッション本体の折畳み状態を維持するための固定ユニットと、前記クッション本体に取り付けられ、持ち運ぶ時に用いる持ち手ユニットと、前記クッション本体に取り付けられ、ものを収納するための収納ユニットと、を有するものである。
【０００７】
かかる携帯式多機能クッションにおいて、前記クッション本体における２本の折り線の外端近傍にそれぞれ連接線が設けられ、該連結線は、２本の折り線と垂直するように連結することが好ましい。
【０００８】
かかる携帯式多機能クッションにおいて、前記固定ユニットは、少なくとも１対の係合部材を有し、該係合部材は、第一ベルト及び第二ベルトを備え、該第一ベルトの一端はクッション本体の一側に縫合され、他端にオスボタンが設けられ、一方、該第二ベルトの一端はクッション本体の他側に縫合され、他端にメスボタンが設けられ、該オスボタンが着脱可能にメスボタンに係合できることが好ましい。
【０００９】
かかる携帯式多機能クッションにおいて、前記収納ユニットは、クッション本体に縫合された少なくとも１つの網袋であることが好ましい。
【００１０】
かかる携帯式多機能クッションにおいて、前記持ち手ユニットは、少なくとも１つの取っ手であってもよい。
【００１１】
かかる携帯式多機能クッションにおいて、前記持ち手ユニットは、少なくとも１本の長細状のベルトであってもよい。
【考案の効果】
【００１２】
上述した構造によれば、本考案に係る携帯式多機能クッションを展開して使用すると、座り心地がよく柔らかいクッションを提供することができ、一方、折畳むと、クッションの体積を小さくし、収納ユニットにボトルやタオルなどの小物を収納することができるので、クッションだけでなく、他の多くの機能も提供でき、実用性に優れている。
【００１３】
さらに、クッション本体に持ち手ユニットが取り付けられていることから、使用者が持ち手ユニットを持てば、クッションを簡単に持ち運ぶことができる。
【図面の簡単な説明】
【００１４】
【図１】本考案に係る携帯式多機能クッションの第一実施例においての折畳み状態を示す斜視図である。
【図２】本考案に係る携帯式多機能クッションの第一実施例においての展開状態を示す斜視図である。
【図３】本考案に係る携帯式多機能クッションの第一実施例における、折畳んだ時の使用状態を示す側面図である。
【図４】本考案に係る携帯式多機能クッションの第二実施例においての展開状態を示す斜視図である。
【図５】本考案に係る携帯式多機能クッションの第二実施例における、折畳んだ時の使用状態を示す斜視図である。
【図６】本考案に係る携帯式多機能クッションの実施例において、クッションとして使用した状態を示す説明図である。
【図７】本考案に係る携帯式多機能クッションの例実施例において、腰まくらとして使用した状態を示す説明図である。
【図８】本考案に係る携帯式多機能クッションの実施例において、まくらとして使用した状態を示す説明図である。
【考案を実施するための形態】
【００１５】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１６】
図１乃至図２に示すように、本考案に係る携帯式多機能クッションの第一実施例は、クッション本体１０と、固定ユニット２０と、持ち手ユニット３０と、少なくとも１つの収納ユニット４０を有する。そのうち、クッション本体１０は、触り心地がよく柔らかい布材の内部に所定の厚みを有するスポンジやラテックスなどの柔軟材質が充填されたものである。
また、該クッション本体１０は、縫合手段または圧合手段によって、中間に２本の折り線１１が間隔をおいて平行するように形成され、それらの折り線１１の外端近傍に、互いに連結するための連接線１２が形成され、該連接線１２は、両側の折り線１１と垂直するように連結する。
【００１７】
前記固定ユニット２０は、クッション本体１０に取り付けられ、１つの部材から構成してもよいが、複数の部材から構成してもよく、１つの部材から構成する場合は、例えば、紐や、面ファスナなどの部材であり、複数の部材から構成する場合は、例えば、オスボタン及びメスボタンを備えるボタンセット、フック及びループを備える面ファスナ、フック及び掛け穴を備えるフックセットである。
本実施例における固定ユニット２０は、２対の係合部材２１を備え、該各対の係合部材２１は、クッション本体１０における折り線１１の両側の側面に取り付けられる。また、前記各係合部材２１は、第一ベルト２１０及び第二ベルト２１２を備え、該第一ベルト２１０の一端はクッション本体１０の一側の側面に縫合され、他端にオスボタン２１１が設置され、一方、該第二ベルト２１２の一端はクッション本体１０の他側の側面に縫合され、他端にメスボタン２１３が設置され、この構成により、該オスボタン２１１を着脱可能にメスボタン２１３に係合する。
【００１８】
前記持ち手ユニット３０は、クッション本体１０の側面に取り付けられ、相対する両側に２つの取っ手３１を備え、該取っ手３１の両端がそれぞれ、クッション本体１０の側面に縫合される。
【００１９】
前記収納ユニット４０は、クッション本体１０に取り付けられ、網袋であってもよく、口締め袋であってもよく、ファスナー付きのポケットであってもよい。尚、本実施例における収納ユニット４０は、２つの網袋であり、それらの網袋はそれぞれ、クッション本体１０における折り線１１の両側に縫合される。
【００２０】
図１及び図６に示すように、本考案に係る携帯式多機能クッションを使用する時は、クッション本体１０を平坦状に展開して椅子の背部や台座に配置すれば、柔らかくて座り心地のよいクッションを提供できる。
また、屋外においては、クッションを地面に置いてから座れば、パンツやスカートなどの衣類を汚すこともなく、また、地面が凸凹でも難なく座れるので、使用上非常に便利である。
【００２１】
一方、本考案に係る携帯式多機能クッションを収納する時は、図２及び図３に示すように、折り線１１に沿ってクッション本体１０の両側が重なり合うように谷折に畳む。固定ユニット２０によってクッション本体１０の折り畳み状態を保持することから、クッション本体１０の体積を縮小できると共に、収納ユニット４０にタオル５０や、ボトル６０、携帯電話、鍵などを収納でき、帽子７０なども折畳んだクッション本体１０の隙間に挿し込むことができる。従って、本案のクッションは、如何なる場所でも用いることができる。また、持ち手ユニット３０によってクッションを簡単に持ち運ぶことができ、例えば、登山や、屋外運動、ピクニックなどにクッションを持っていって地面に敷けば、座り心地のよいクッションとして用いることができる。
【００２２】
図４に示すように、本考案に係る携帯式多機能クッションにおける第二実施例は、殆ど第一実施例と同一であるが、持ち手ユニット３０のタイプが異なる。即ち、本実施例における持ち手ユニット３０はさらに、細長状のベルト３２を有し、該ベルト３２の一端はクッション本体１０の２本の折り線１１の一端近傍に縫合され、他端はクッション本体１０の一側の側面に縫合される（図４の如く）。図５に示すように、本実施例における持ち手ユニット３０は、取っ手を有しなくてもよく、ベルト３２を有すればよい。
【００２３】
図５に示すように、本実施例の使用方法は殆ど第一実施例と同一であるが、クッションを持ち運ぶ時は、ベルト３２を片方の肩に掛けてもよく、または、肩に斜め掛けにしてにかけてもよい。こうすることにより、両手が空くので、他のものを持つこともできる。尚、クッションをおいた椅子の座り方については、図６の如く、第一実施例と同一であることから、その説明は省略する。
【００２４】
さらに、図２、図７、図８に示すように、本考案に係る携帯式多機能クッションは、腰まくらまたは通常のまくらとして使用してもよい。使用する時は、クッション本体１０を折り線１１に沿って裏折り畳みし、固定ユニット２０によってその裏折り畳みの状態に保持する。この構成によれば、収納ユニット４０はクッション本体１０の内部に隠れ、外側にクッション本体１０の平坦面が現れることから、腰まくら（図７の如く）や、通常のまくらとして使用する（図８の如く）ことができる。
【符号の説明】
【００２５】
１０    クッション本体
１１    折り線
１２    連接線
２０    固定ユニット
２１０  第一ベルト
２１１  オスボタン
２１２  第二ベルト
２１３  メスボタン
３０    持ち手ユニット
３１    取っ手
３２    ベルト
４０    収納ユニット
５０    タオル
６０    ボトル
７０    帽子
【図１】
0003195179.tif 000003
【図２】
0003195179.tif 000004
【図３】
0003195179.tif 000005
【図４】
0003195179.tif 000006
【図５】
0003195179.tif 000007
【図６】
0003195179.tif 000008
【図７】
0003195179.tif 000009
【図８】
0003195179.tif 000010